(57)【要約】入力部（２００）が、同期信号と映像信号とを含む入力信号を、同期信号と映像信号とに分離し、検出部（３００）が、分離された同期信号から、映像ライン数、垂直同期周波数、垂直同期信号幅および水平同期信号幅を検出し、判定部（４００）が、検出された映像ライン数、垂直同期周波数、垂直同期信号幅および水平同期信号幅に基づいて、映像信号のアスペクト比を判定する。
2014188481.tif 000002
【特許請求の範囲】
【請求項１】
同期信号と映像信号とを含む入力信号を入力し、前記同期信号と前記映像信号とから、映像ライン数、垂直同期周波数、垂直同期信号幅および水平同期信号幅を検出する検出部と、
前記検出部にて検出された映像ライン数、垂直同期周波数、垂直同期信号幅および水平同期信号幅に基づいて、前記映像信号のアスペクト比を判定する判定部とを有する映像信号判定装置。
【請求項２】
請求項１に記載の映像信号判定装置において、
前記検出部は、前記同期信号から、さらに垂直バックポーチの幅を検出し、
前記判定部は、前記検出部にて検出された映像ライン数、垂直同期周波数、垂直同期信号幅、水平同期信号幅および垂直バックポーチの幅に基づいて、前記映像信号のアスペクト比を判定することを特徴とする映像信号判定装置。
【請求項３】
請求項１または請求項２に記載の映像信号判定装置において、
前記判定部は、前記判定したアスペクト比を出力することを特徴とする映像信号判定装置。
【請求項４】
同期信号と映像信号とを含む入力信号を入力し、前記同期信号と前記映像信号とから、映像ライン数、垂直同期周波数、垂直同期信号幅および水平同期信号幅を検出し、該検出した映像ライン数、垂直同期周波数、垂直同期信号幅および水平同期信号幅に基づいて、前記映像信号のアスペクト比を判定する制御部と、
前記映像信号を、前記制御部にて判定されたアスペクト比を用いて処理する映像処理部と、
前記映像処理部にて処理された映像信号に基づいて映像を表示する表示部とを有する映像表示装置。
【請求項５】
請求項４に記載の映像表示装置において、
前記制御部は、前記同期信号と前記映像信号とから、さらに、垂直バックポーチの幅を検出し、前記検出した映像ライン数、垂直同期周波数、垂直同期信号幅、水平同期信号幅および垂直バックポーチの幅に基づいて、前記映像信号のアスペクト比を判定することを特徴とする映像表示装置。
【請求項６】
同期信号と映像信号とを含む入力信号を入力し、前記同期信号と前記映像信号とから、映像ライン数、垂直同期周波数、垂直同期信号幅および水平同期信号幅を検出するステップと、
前記検出された映像ライン数、垂直同期周波数、垂直同期信号幅および水平同期信号幅に基づいて、前記映像信号のアスペクト比を判定するステップとを行う映像信号判定方法。
【請求項７】
請求項６に記載の映像信号判定方法において、
前記同期信号と前記映像信号とから、垂直バックポーチの幅を検出するステップと、
前記検出された映像ライン数、垂直同期周波数、垂直同期信号幅、水平同期信号幅および垂直バックポーチの幅に基づいて、前記映像信号のアスペクト比を判定するステップとを行うことを特徴とする映像信号判定方法。
【請求項８】
同期信号と映像信号とを含む入力信号を入力し、前記同期信号と前記映像信号とから、映像ライン数、垂直同期周波数、垂直同期信号幅および水平同期信号幅を検出するステップと、
前記検出された映像ライン数、垂直同期周波数、垂直同期信号幅および水平同期信号幅に基づいて、前記映像信号のアスペクト比を判定するステップと、
前記映像信号を、前記判定されたアスペクト比を用いて処理するステップと、
前記処理された映像信号に基づいて映像を表示するステップとを行う映像表示方法。
【請求項９】
請求項８に記載の映像表示方法において、
前記同期信号と前記映像信号とから、垂直バックポーチの幅を検出するステップと、
前記検出された映像ライン数、垂直同期周波数、垂直同期信号幅、水平同期信号幅および垂直バックポーチの幅に基づいて、前記映像信号のアスペクト比を判定するステップとを行うことを特徴とする映像表示方法。
【発明の詳細な説明】
【技術分野】
【０００１】
本発明は、映像信号の特性を判定する映像信号判定装置、映像表示装置、映像信号判定方法および映像表示方法に関する。
【背景技術】
【０００２】
近年、映像を表示するための入力信号に含まれる水平同期周波数、垂直同期周波数、スキャンタイプ、映像ライン数、同期タイプ、垂直同期信号幅および同期極性に基づいて、当該入力信号の種類（映像信号の種類）を判定する技術が考えられている。例えば、特許文献１では、上記の情報の他、垂直同期信号の幅を検出して入力された映像信号の種類を判定する。そして、この判定結果を用いて、映像信号に応じた映像を表示する。【０００３】
図１は、特許文献１における映像表示装置を示すブロック図である。【０００４】
この映像表示装置には図１に示すように、入力端子１と、映像同期処理回路２（以下、同期処理回路２と称する）と、検出部３０と、ＣＰＵ４と、スケーラ（特許文献１ではスケラー、以下同様）回路５と、固定画素パネル駆動回路６（以下、駆動回路６と称する）と、固定画素パネル７（以下、パネル７と称する）とが設けられている。【０００５】
同期処理回路２は、入力端子１に入力してきた映像信号を含むアナログ入力信号をアナログデジタル変換するＡＤ変換部と、同期信号と映像信号とに分離する同期分離部等である。同期分離部は、入力された信号の同期タイプに応じた同期タイプ信号を生成する。また、同期処理回路２は、分離した同期信号と映像信号と同期タイプ信号とを検出部３０へ出力する。また、同期処理回路２は、分離した映像信号をスケーラ回路５へ出力する。【０００６】
検出部３０は、同期処理回路２から出力されてきた同期信号と映像信号と同期タイプ信号とから、水平同期周波数、垂直同期周波数、スキャンタイプ、総ライン数、映像ライン数、同期タイプ、垂直同期信号幅および同期極性を検出する。【０００７】
図２は、図１に示した検出部３０の内部構成を示す図である。【０００８】
図１に示した検出部３０には図２に示すように、水平・垂直周波数検出回路３１と、同期極性検出回路３２と、同期タイプ検出回路３３と、スキャンタイプ検出回路３４と、映像ライン数検出回路３５と、総ライン数検出回路３６と、垂直同期信号幅検出回路３Ａ２とが設けられている。【０００９】
ＣＰＵ４は、これら検出部３０の検出結果に基づいて入力映像信号の種類を判別し、当該判別した信号の種類に適した各種制御用データを映像同期処理回路２、スケーラ回路５、固定画素パネル駆動回路６にそれぞれ設定する。【００１０】
図３は、図１に示した映像表示装置において、映像ライン数が７６８ラインであり、垂直同期周波数が６０Ｈｚ近傍である信号について垂直同期信号幅に基づいて、アスペクト比を判定する処理を説明するためのフローチャートである。また、図４は、入力信号がパーソナルコンピュータ等のビデオ周辺機器に関する業界標準化団体であるＶＥＳＡ（Video  Electronics  Standards  Association）が規定するＣＶＴ（Coordinated  Video  Timings）信号である場合の垂直同期信号幅とアスペクト比との関係を示す図である。【００１１】
ＣＰＵ４は、映像ライン数が７６８ラインであり、垂直同期周波数が６０Ｈｚである信号について、ステップ１０１にて、検出部３０の垂直同期信号幅検出回路３Ａ２が検出した垂直同期信号幅が何ラインであるかを判定する。【００１２】
判定の結果、垂直同期信号幅が３、８、９、１０ラインである場合、ステップ１０２にて、ＣＰＵ４は、図４に示した関係に基づいて、アスペクト比が４：３であると判定する。また、判定の結果、垂直同期信号幅が４ラインである場合、ステップ１０３にて、ＣＰＵ４は、図４に示した関係に基づいて、アスペクト比が４：３であると判定する。また、判定の結果、垂直同期信号幅が５ラインである場合、ステップ１０４にて、ＣＰＵ４は、図４に示した関係に基づいて、アスペクト比が１６：９であると判定する。また、判定の結果、垂直同期信号幅が６ラインである場合、ステップ１０５にて、ＣＰＵ４は、図４に示した関係に基づいて、アスペクト比が１６：１０であると判定する。また、判定の結果、垂直同期信号幅が７ラインである場合、ステップ１０６にて、ＣＰＵ４は、図４に示した関係に基づいて、アスペクト比が１５：９であると判定する。
【先行技術文献】
【特許文献】
【００１３】
【特許文献１】特開２００７−９６８７５号公報
【発明の概要】
【発明が解決しようとする課題】
【００１４】
図５は、映像ライン数が７６８ラインであり、垂直同期周波数が６０Ｈｚ近傍である信号について垂直同期信号幅に基づいて行ったアスペクト比の判定結果を示す図である。図５に示すように、映像ライン数が７６８ラインであり、垂直周波数が６０Ｈｚ近傍の信号には、ＣＶＴの他にＤＭＴ（Display  Monitor  Timings）およびＧＦＴ（Generalized  Timing  Formula）と呼ばれる他の規格の信号も存在する。【００１５】
図５に示すように、映像ライン数が７６８ラインであり、垂直同期周波数が６０Ｈｚ近傍の一部の信号では信号の種類が正しく判別できないため、表示画像のアスペクト比が正しい値とはならないという問題点がある。これらの信号では、水平同期周波数が４７ＫＨｚ近傍、垂直同期周波数が６０Ｈｚ近傍であって、水平同期周波数も垂直同期周波数も信号間の差が微小なため、周波数による信号の識別は困難である。また、同期周波数以外の判別要素を加えても、従来の映像信号判定方法では個別に識別することができない。【００１６】
本発明の目的は、上述した課題を解決する映像信号判定装置、映像表示装置、映像信号判定方法および映像表示方法を提供することである。
【課題を解決するための手段】
【００１７】
本発明の映像信号判定装置は、
同期信号と映像信号とを含む入力信号を入力し、前記同期信号と前記映像信号とから、映像ライン数、垂直同期周波数、垂直同期信号幅および水平同期信号幅を検出する検出部と、
前記検出部にて検出された映像ライン数、垂直同期周波数、垂直同期信号幅および水平同期信号幅に基づいて、前記映像信号のアスペクト比を判定する判定部とを有する。【００１８】
また、本発明の映像表示装置は、
同期信号と映像信号とを含む入力信号を入力し、前記同期信号と前記映像信号とから、映像ライン数、垂直同期周波数、垂直同期信号幅および水平同期信号幅を検出し、該検出した映像ライン数、垂直同期周波数、垂直同期信号幅および水平同期信号幅に基づいて、前記映像信号のアスペクト比を判定する制御部と、
前記映像信号を、前記制御部にて判定されたアスペクト比を用いて処理する映像処理部と、
前記映像処理部にて処理された映像信号に基づいて映像を表示する表示部とを有する。【００１９】
また、本発明の映像信号判定方法は、
同期信号と映像信号とを含む入力信号を入力し、前記同期信号と前記映像信号とから、映像ライン数、垂直同期周波数、垂直同期信号幅および水平同期信号幅を検出するステップと、
前記検出された映像ライン数、垂直同期周波数、垂直同期信号幅および水平同期信号幅に基づいて、前記映像信号のアスペクト比を判定するステップとを行う。【００２０】
また、本発明の映像表示方法は、
同期信号と映像信号とを含む入力信号を入力し、前記同期信号と前記映像信号とから、映像ライン数、垂直同期周波数、垂直同期信号幅および水平同期信号幅を検出するステップと、
前記検出された映像ライン数、垂直同期周波数、垂直同期信号幅および水平同期信号幅に基づいて、前記映像信号のアスペクト比を判定するステップと、
前記映像信号を、前記判定されたアスペクト比を用いて処理するステップと、
前記処理された映像信号に基づいて映像を表示するステップとを行う。
【発明の効果】
【００２１】
本発明においては、映像の特性のより正確な判定をすることができる。
【図面の簡単な説明】
【００２２】
【図１】一般的な映像表示装置を示すブロック図の一例である。
【図２】図１に示した検出部の内部構成を示す図である。
【図３】図１に示した映像表示装置において、映像ライン数が７６８ラインであり、垂直同期周波数が６０Ｈｚである信号について垂直同期信号幅に基づいて、アスペクト比を判定する処理を説明するためのフローチャートである。
【図４】入力信号がＣＶＴ信号である場合の垂直同期信号幅とアスペクト比との関係を示す図である。
【図５】映像ライン数が７６８ラインであり、垂直同期周波数が６０Ｈｚである信号について垂直同期信号幅に基づいて行ったアスペクト比の判定結果を示す図である。
【図６】本発明の映像表示装置の実施の一形態を示すブロック図である。
【図７】図６に示した検出部の内部構成の一例を示す図である。
【図８】図６に示した判定部におけるアスペクト比の判定処理を説明するためのフローチャートである。
【図９】図６に示した判定部におけるアスペクト比の判定処理の結果を示す図である。
【図１０】図６に示した検出部の内部構成の一例を示す図である。
【発明を実施するための形態】
【００２３】
（第１の実施形態）
以下に、本発明の実施の形態について図面を参照して説明する。
【００２４】
図６は、本発明の映像表示装置の実施の一形態を示すブロック図である。
【００２５】
本形態は図６に示すように、入力端子１と、入力部２００と、検出部３００と、判定部４００と、スケーラ回路５と、駆動回路６と、表示部７とを含む。
【００２６】
なお、破線で囲んで示すように、検出部３００と、判定部４００とで、映像信号判定装置を構成する。また、スケーラ回路５は、映像処理部の一例である。また、検出部３００と、判定部４００とで制御部を構成する。
【００２７】
また、図６に示した入力端子１に入力される入力信号が、アナログ信号の場合は、入力部２００にて、当該アナログ信号をデジタル信号へ変換する。また、入力信号がデジタル信号の場合は、入力部２にて、シリアル−パラレル変換を行う。デジタル映像信号は、入力部２００からスケーラ回路５および検出部３００へ出力される。また、入力端子１に入力される入力信号が、同期信号と映像信号とが分離されているときは、同期信号は、入力部２００から検出部３００へ出力され、同期信号が映像信号のうち、いずれかの信号と合成されて入力されているときは、該合成された信号は、入力部２００にて、同期信号と映像信号に分離され、映像信号は、スケーラ回路５および検出部３００に、同期信号は検出部３００に出力される。なお、検出部３００へ出力される同期信号は、水平同期信号と垂直同期信号が分離されていてもよし、複合同期信号でもよい。
【００２８】
図６に示した構成要素のうち、図１に示した構成要素と同じ符号を付与しているものは、図１を用いて説明したその構成要素の動作と同じ動作をする。
【００２９】
検出部３００は、入力端子１、例えば、ＣＯＭＰＵＴＥＲ（Ｄ−Ｓｕｂ）端子から入力されるアナログ映像信号を検出する。また、検出部３００は、図１に示した検出部３０の動作に加えて、同期信号から、水平同期信号幅を検出する。
【００３０】
図７は、図６に示した検出部３００の内部構成の一例を示す図である。
【００３１】
図６に示した検出部３００には図７に示すように、水平・垂直周波数検出回路３１と、同期極性検出回路３２と、同期タイプ検出回路３３と、スキャンタイプ検出回路３４と、映像ライン数検出回路３５と、垂直同期信号幅検出回路３Ａ２と、総ライン数検出回路３６と、水平同期信号幅検出回路３８とが設けられている。
【００３２】
水平・垂直周波数検出回路３１は、入力映像信号とは非同期な基準クロック（たとえば１００ＭＨｚ）を用いて水平・垂直同期信号の周波数を検出する。同期極性検出回路３２は、水平・垂直同期信号の極性をそれぞれ検出する。同期タイプ検出回路３３は、水平・垂直同期信号が分離型（セパレート）か混合型（ミックス）か、または映像信号のいずれかに重畳（Ｓｙｎｃ−ｏｎ−Ｇｒｅｅｎまたは三値同期）されているかを検出する。スキャンタイプ検出回路３４は、入力映像信号が飛越走査（インターレス）か順次走査（プログレッシブ）かを検出する。映像ライン数検出回路３５は、映像信号と水平・垂直同期信号を用いて有効な映像表示ライン数を検出する。垂直同期信号幅検出回路３Ａ２は、垂直同期信号の幅を水平同期信号によってカウントすることによって垂直同信号幅を検出する。
【００３３】
総ライン数検出回路３６は、同期信号から、総ライン数を検出する。また、総ライン数検出回路３６は、検出した総ライン数を判定部４００へ出力する。
【００３４】
水平同期信号幅検出回路３８は、同期信号から、所定の基準クロック（例えば、１００ＭＨｚ）を用いてカウントし、水平同期信号幅（パルス幅）を検出する。また、水平同期信号幅検出回路３８は、検出した水平同期信号幅を判定部４００へ出力する。
【００３５】
判定部４００は、図１に示したＣＰＵ４の動作に加えて、検出部３００にて検出された映像ライン数、垂直同期周波数、垂直同期信号幅、水平同期信号幅に基づいて、映像信号のアスペクト比を判定する判定部である。
【００３６】
以下に、図６に示した判定部４００におけるアスペクト比の判定処理について説明する。
【００３７】
図８は、図６に示した判定部４００におけるアスペクト比の判定処理を説明するためのフローチャートである。
【００３８】
判定部４００は、映像ライン数が７６８ラインであり、垂直同期周波数が６０Ｈｚ近傍である信号について、ステップ１にて、検出部３００の垂直同期信号幅検出回路３Ａ２が検出した垂直同期信号幅が何ラインであるかを判定する。
【００３９】
ステップ１における判定の結果、垂直同期信号幅が４、８、９、１０ラインである場合、ステップ２にて、判定部４００は、当該映像信号に設定するアスペクト比が４：３であると判定する。また、ステップ１における判定の結果、垂直同期信号幅が５ラインである場合、ステップ３にて、判定部４００は、当該映像信号に設定するアスペクト比が１６：９であると判定する。また、ステップ１における判定の結果、垂直同期信号幅が７ラインである場合、ステップ４にて、判定部４００は、当該映像信号に設定するアスペクト比が１５：９であると判定する。
【００４０】
また、ステップ１における判定の結果、垂直同期信号幅が３ラインである場合、ステップ５にて、判定部４００は、検出部３００の水平同期信号幅検出回路３８が検出した水平同期信号幅に基づいて判定する。
【００４１】
図９は、図６に示した判定部４００におけるアスペクト比の判定処理の結果を示す図である。
【００４２】
例えば、図９を参照すると、垂直同期信号幅が３ラインである信号は、Ｎｏ．２、Ｎｏ．８、Ｎｏ．９、Ｎｏ．１４が該当する。Ｎｏ．２の信号は、ドットクロックＣｌｏｃｋが６４．１０９［ＭＨｚ］であり、水平同期信号幅Ｈｗが１０４［Ｐｉｘｅｌ］であるため、水平同期信号幅Ｈｗは（１／６４．１０９Ｍ）×１０４＝１．６２２［ｕＳｅｃ］となる。同様に、Ｎｏ．８の信号の水平同期信号幅Ｈｗは１．６７３［ｕＳｅｃ］、Ｎｏ．９の信号の水平同期信号幅Ｈｗは０．７７８［ｕＳｅｃ］、Ｎｏ．１４の信号の水平同期信号幅Ｈｗは１．６９７［ｕＳｅｃ］となる。ここで、ドットクロックは、入力信号の水平同期信号の整数倍である。
【００４３】
ステップ５における判定の結果、水平同期信号幅が１．６９７［ｕＳｅｃ］（ドットクロック８０．１３６ＭＨｚのときの１３６ピクセルに相当する値）である場合、ステップ６にて、判定部４００は、当該映像信号に設定するアスペクト比が１５：９であると判定する。また、ステップ５における判定の結果、水平同期信号幅が１．６７３［ｕＳｅｃ］（ドットクロック８５．５ＭＨｚのときの１４３ピクセルに相当する値）または０．７７８［ｕＳｅｃ］（ドットクロック７２ＭＨｚのときの５６ピクセルに相当する値）である場合、ステップ７にて、判定部４００は、当該映像信号に設定するアスペクト比が１６：９であると判定する。また、ステップ５における判定の結果、水平同期信号幅がドットクロック８０．１３６ＭＨｚのときの１３６ピクセルに相当する値、ドットクロック８５．５ＭＨｚのときの１４３ピクセルに相当する値、ドットクロック７２ＭＨｚのときの５６ピクセルに相当する値以外である場合、ステップ８にて、判定部４００は、当該映像信号に設定するアスペクト比が４：３であると判定する。ここでは、所定の値以外である場合に設定するアスペクト比を４:３としたが、ステップ５で判定される信号グループにおいて最も一般的に用いられるアスペクト比に設定することが望ましい。
【００４４】
また、ステップ１における判定の結果、垂直同期信号幅が６ラインである場合、ステップ９にて、判定部４００は、検出部３００の水平同期信号幅検出回路３８が検出した水平同期信号幅に基づいて判定する。
【００４５】
例えば、図９を参照すると、垂直同期信号幅が６Ｌｉｎｅである信号は、Ｎｏ．４、Ｎｏ．５、Ｎｏ．１０、Ｎｏ．１１、Ｎｏ．１５が該当する。Ｎｏ．４の信号は、ドットクロックＣｌｏｃｋが６５［ＭＨｚ］であり、水平同期信号幅Ｈｗが１３６［Ｐｉｘｅｌ］であるため、水平同期信号幅Ｈｗは（１／６５Ｍ）×１３６＝２．０９２［ｕＳｅｃ］となる。同様に、Ｎｏ．５の信号の水平同期信号幅Ｈｗは１．３１０［ｕＳｅｃ］、Ｎｏ．１０の信号の水平同期信号幅Ｈｗは０．４８９［ｕＳｅｃ］、Ｎｏ．１１の信号の水平同期信号幅Ｈｗは１．５７９［ｕＳｅｃ］、Ｎｏ．１５の信号の水平同期信号幅Ｈｗは１．３８３［ｕＳｅｃ］となる。
【００４６】
ステップ９における判定の結果、水平同期信号幅が１．３８３［ｕＳｅｃ］（ドットクロック８１ＭＨｚのときの１１２ピクセルに相当する値）である場合、ステップ１０にて、判定部４００は、当該映像信号に設定するアスペクト比が１５：９であると判定する。
【００４７】
また、ステップ９における判定の結果、水平同期信号幅が１．３１０［ｕＳｅｃ］（ドットクロック８５．５ＭＨｚのときの１１２ピクセルに相当する値）である場合、ステップ１１にて、判定部４００は、当該映像信号に設定するアスペクト比が１６：９であると判定する。また、ステップ９における判定の結果、水平同期信号幅が２．０９２［ｕＳｅｃ］（ドットクロック６５ＭＨｚのときの１３６ピクセルに相当する値）である場合、ステップ１２にて、判定部４００は、当該映像信号に設定するアスペクト比が４：３であると判定する。また、ステップ９における判定の結果、水平同期信号幅が１．３８３［ｕＳｅｃ］、１．３１０［ｕＳｅｃ］、２．０９２［ｕＳｅｃ］以外である場合、ステップ１３にて、判定部４００は、当該映像信号に設定するアスペクト比が１６：１０であると判定する。ここでは、所定の値以外である場合に設定するアスペクト比を１６:１０としたが、ステップ９で判定される信号グループにおいて最も一般的に用いられるアスペクト比に設定することが望ましい。
【００４８】
判定部４００は、上述したように判定したアスペクト比をスケーラ回路５に設定する。
【００４９】
図９に示すように、図５に示した判定結果でＮＧとなっていた、Ｎｏ．４、５、８、９、１４および１５の信号について、より正確なアスペクト比を得ることができ、より正確な表示が可能となる。
【００５０】
このように、本実施形態では、水平同期信号幅を、アスペクト比を判定する条件に追加する。このとき、タイミング計測に用いられる、入力信号に依存せず常に一定である基準クロックを使用して、水平周波数・垂直周波数、水平同期幅等を計測する。なお、垂直同期信号幅は、走査線数（ライン）単位で計測するため、ドットクロックの周波数に依存せずに計測が可能である。
【００５１】
例えば、垂直同期信号幅が３ラインである場合、水平同期信号幅を計測し、信号の判別を行い、その判定結果に従ってアスペクト比を設定する。図９に示したＮｏ．８の信号の水平同期信号幅が１．６７３［ｕＳｅｃ］であるのに対し、Ｎｏ．８の信号の水平同期信号幅は１．６９７［ｕＳｅｃ］と、その差が小さい。これらの水平同期信号幅を正しく識別するためには、基準クロックとして両者の水平同期信号幅の差の逆数の２倍以上の周波数（１／（１．６９７−１．６７３）［ｕＳｅｃ］×２＝８２ＭＨｚ）が必要となる。そのため、この場合、基準クロックの周波数をたとえば１００ＭＨｚとする。
【００５２】
また、垂直同期信号幅が６ラインである場合も同様に、水平同期信号幅から合計５つの信号の判別が可能となる。
【００５３】
（第２の実施形態）
基準クロックの周波数は、例えば、消費電力を抑えるためや、周辺機器の動作周波数の制限、コストダウンのため等の理由から、上記のような周波数（１００ＭＨｚ）に設定することができない場合が考えられる。このような場合は、例えば、基準クロックを５０ＭＨｚとする。基準クロックを５０ＭＨｚとすると、垂直同期信号幅が３ラインである場合、Ｎｏ．８の信号の水平同期信号幅とＮｏ．１４の信号の水平同期信号幅との差が小さく、識別が困難となるが、他の信号との識別は可能である。すなわち、各信号の水平同期信号幅は、Ｎｏ．２の信号は、１．６２２［ｕＳｅｃ］、Ｎｏ．８の信号は、１．６７３［ｕＳｅｃ］、Ｎｏ．９の信号は、０．７７８［ｕＳｅｃ］、Ｎｏ．１４の信号は、１．６９７［ｕＳｅｃ］であるため、Ｎｏ．８の信号とＮｏ．１４の信号以外は、５０ＭＨｚの基準クロックによる水平同期信号幅の検出によって識別可能である。
【００５４】
図１０は、図６に示した検出部３００の内部構成の一例を示す図である。第１の実施形態に対して、第２の実施形態における検出部３００は、垂直バックポーチ検出部３９をさらに備えている。
【００５５】
垂直バックポーチ検出回路３９は、映像信号と同期信号から、垂直バックポーチの幅を検出する。なお、垂直バックポーチの幅は、水平のライン数として算出する。つまり、水平同期信号を用いてカウントする。また、垂直バックポーチ検出回路３９は、検出した垂直バックポーチの幅を判定部４００へ出力する。
【００５６】
本実施形態では、上述のように水平同期信号幅による検出が困難なＮｏ．８の信号とＮｏ．１４の信号とを識別するために、垂直バックポーチの幅を判別材料として用いる。Ｎｏ．８のバックポーチの幅は２４ライン、Ｎｏ．１４のバックポーチの幅は２３ラインであるため、両者を識別することが可能となる。このように、水平同期信号幅の検出と垂直バックポーチ幅の検出を併用することにより、水平同期信号幅の検出のみでは識別な困難な信号を正しく識別することができる。
【００５７】
また、垂直同期信号幅が６ラインである場合は、水平同期信号幅の差が最小となるその差は７３［ｎＳｅｃ］であるため、水平同期信号幅を用いて識別可能であるが、垂直バックポーチのライン数を用いても、各信号の識別が可能となる。垂直同期信号幅が６ラインである信号は、Ｎｏ．４、Ｎｏ．５、Ｎｏ．１０、Ｎｏ．１１、Ｎｏ．１５の各信号であり、垂直バックポーチ幅は順に、２９ライン、１８ライン、１３ライン、２１ライン、２５ラインであるため、垂直バックポーチ幅のみでこれらの信号を識別することができる。
【００５８】
垂直バックポーチ幅検出回路は、たかだか５ビット幅があれば足り、簡便に構成することができる。また、カウント用クロックとして水平同期信号を使用するため、比較的低周波で駆動することができ、消費電力が少なくて済むという利点がある。
【００５９】
本実施の形態では、第１の実施形態と比較して基準クロックの周波数を低く設定することができるため、低消費電力化を図ることができる。また周辺機器として動作周波数の低い回路部品を採用することができるため、コストダウンを図ることができる。
【００６０】
このように、本発明によれば、ＶＥＳＡがＤＭＴ、ＣＶＴ、ＧＴＦで規定したＰＣの出力映像信号のうち、映像ライン数が７６８ラインで垂直同期周波数が６０Ｈｚ近傍の１５種類の信号のアスペクト比を判定し、より正確なアスペクト比で表示をすることが可能となり、より正確な映像を表示することができる。
【００６１】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【図１】
2014188481.tif 000003
【図２】
2014188481.tif 000004
【図３】
2014188481.tif 000005
【図４】
2014188481.tif 000006
【図５】
2014188481.tif 000007
【図６】
2014188481.tif 000008
【図７】
2014188481.tif 000009
【図８】
2014188481.tif 000010
【図９】
2014188481.tif 000011
【図１０】
2014188481.tif 000012
【国際調査報告】
2014188481.tif 000013
2014188481.tif 000014
2014188481.tif 000015
2014188481.tif 000016